(57)【要約】【課題】  後方視認用の表示装置を利用して、前方の条列の視認性を向上させることにより、機体を後進させる際の操作と、前進作業走行時における操向操作を行い易くしたコンバインを提供する。【解決手段】    走行機体の後方側を撮影する後方撮像手段９と、走行機体の右前方を撮影する右前方撮像手段１１とを備え、これらの撮像手段による撮像情報を操縦部に配置した表示装置１０のモニタ画面で択一的に切換表示するように構成するとともに、右前方撮像手段１１を、刈取引き起こし装置３０よりも後方側における走行機体側の固定位置に設けてある。【選択図】      図２
2008000089.tif 000002
【特許請求の範囲】
【請求項１】
走行機体の最前部に刈取引き起こし装置を配備し、刈取引き起こし装置の後部で機体右横側に操縦部を配備し、操縦部の左横側部に刈取茎稈を後方搬送する縦搬送装置を配備してあるコンバインであって、
走行機体の後方側を撮影する後方撮像手段と、走行機体の右前方を撮影する右前方撮像手段とを備え、これらの撮像手段による撮像情報を操縦部に配置した表示装置のモニタ画面で択一的に切換表示するように構成するとともに、前記右前方撮像手段を、前記刈取引き起こし装置よりも後方側における走行機体側の固定位置に設けてあるコンバイン。
【請求項２】
操縦部に運転キャビンを備え、右前方撮像手段を運転キャビンの右横側部に配置してある請求項１記載のコンバイン。
【請求項３】
右前方撮像手段は、方向指示器の取付部に一体的に取り付けてある請求項１または２記載のコンバイン。
【発明の詳細な説明】
【技術分野】
【０００１】
本発明は、機体後部側を撮影する撮像手段を備え、その撮像手段による撮像情報を操縦部に配置した表示装置のモニタ画面で表示するように構成したコンバインに関する。
【背景技術】
【０００２】
コンバインでは、運転者が位置する操縦部よりも後方側の走行機体上にはグレンタンクや脱穀装置、あるいは排ワラ処理装置などが搭載されており、操縦部から機体の真後ろを直接目視することは不可能である。
また、機体前方側においては、分草体が条間を進行するように操向することで、適正な分草及び茎稈引き起こし作業を与えながら、茎稈を刈取引き起こしすることが望まれている。
このため、従来のコンバインでは、コンバインの機体後進時における機体後方側の監視、及び機体前進時における前進方向の視認を行うにあたり、下記［１］及び［２］に示す技術を採用することが知られている。
［１］  機体後部を撮影する撮像手段としての監視カメラを機体後部に配置し、その監視カメラによる撮像情報を、操作レバー類が設けられた操縦塔上面の操作パネル部に配備されている表示装置によって表示するように構成し、機体前方側については、左前部の分草体の上側の刈取部に監視カメラを設けて、分草体が条間に潜り込む状態を視認できるようにしたもの（特許文献１参照）。
［２］  機体後部を撮影する撮像手段としての監視カメラを機体後部に配置し、その監視カメラによる撮像情報を、操縦部に配備されている表示装置によって表示するように構成し、機体前方側については、左前部、もしくは右前部の分草ガイド板の上下方向中間部に監視カメラを設けて、分草体が条間に潜り込む状態を視認できるようにしたもの（特許文献２参照）。
【０００３】
【特許文献１】特開２００２−２９１３２１号公報（段落番号〔００２２〕、〔００２８〕、及び図１，図２）
【特許文献２】特開２００５−１３７２６０号公報（段落番号〔００２２〕、〔００２３〕、〔００３４〕、〔００３６〕、及び、図１，図２，図１０，図１１，図１２，図１３）
【発明の開示】
【発明が解決しようとする課題】
【０００４】
上記特許文献１及び２に示される技術を採用すれば、操縦部の表示装置を目視することで、機体後方側を視認することが可能となり、また、機体前方側においても分草体が条間に位置する状態を監視することが可能になるので、機体後進を良好に行い易く、かつ機体操向方向の監視が可能である点で優れている。
しかしながら、これらの特許文献１及び２に記載された技術によっても、次のような問題がある。
すなわち、特許文献１及び２に記載のように、分草体（分草ガイド）の部分に監視カメラを設けたものにおいて、条間に位置する分草体（分草ガイド）が条間から外れないように監視して操向操作を行う場合には、操向操作の応答にきわめて迅速な操作が要求され、また、雑草などによる外乱も多い状況で、集中して注視しながら監視を続ける必要がある。
つまり、分草体自体が検出対象である茎稈を押し分けて進行するものであるから、その分草体箇所に配置される監視カメラの位置は、検出対象の茎稈条との距離が必然的に極めて近くなる。このため、検出中の状況変化を認識してから実際に操作を行うまでに時間的なゆとりがなく、しかも、雑草などによる外乱も多い状況で、常時集中して監視しながら素早い応答動作が要望されるという、疲労し易い作業が要求されることになる。
したがって、上述のように分草体（分草ガイド）の部分に監視カメラを設けた構造のものにおいては、現実には、刈取作業の開始時の条合わせの際に分草体箇所に設けられた監視カメラを利用した条合わせ作業を行い、通常の機体前進の際の操向操作は、監視カメラとは無関係に直接機体前方側を目視して操向操作を行うことが一般的である。
【０００５】
本発明は、後方視認用の表示装置を利用して、前方の条列の視認性を向上させることにより、機体を後進させる際の操作と、前進作業走行時における操向操作を行い易くしたコンバインを提供することを目的とする。
【課題を解決するための手段】
【０００６】
上記目的を達成するために講じた本発明におけるコンバインの技術手段は、次の点に構成上の特徴、及び作用効果がある。
【０００７】
〔解決手段１〕
本発明の技術手段の一つは、請求項１に記載したように、走行機体の最前部に刈取引き起こし装置を配備し、刈取引き起こし装置の後部で機体右横側に操縦部を配備し、操縦部の左横側部に刈取茎稈を後方搬送する縦搬送装置を配備してあるコンバインにおいて、
走行機体の後方側を撮影する後方撮像手段と、走行機体の右前方を撮影する右前方撮像手段とを備え、これらの撮像手段による撮像情報を操縦部に配置した表示装置のモニタ画面で択一的に切換表示するように構成するとともに、前記右前方撮像手段を、前記刈取引き起こし装置よりも後方側における走行機体側の固定位置に設けてあることである。
【０００８】
〔解決手段１にかかる発明の作用及び効果〕
上記構成によると、走行機体の後方側を撮影する後方撮像手段による撮像情報を表示する表示装置を利用して、走行機体の前方側の撮像情報をも表示することができるものであるが、特に本発明では、前方を撮影する撮像手段が、走行機体の右前方を撮影する右前方撮像手段であり、かつ、その右前方撮像手段が刈取引き起こし装置よりも後方側における走行機体側の固定位置に設けてあるので、機体操向操作のために有効な目視可能な情報を操縦者に対して提供することができる。
すなわち、右前方撮像手段は、刈取引き起こし対象の茎稈からある程度距離を隔てた後方側の機体固定部に設けてあって、右前方を撮影するように配設されたものであるから、刈取対象茎稈群のうち、右側前端の茎稈、及びその後方（機体進行方向での前方側）で右端の茎稈列、ならびに茎稈の刈り跡を条列として認識できるように撮影することができる。
つまり、前述の従来技術のように、分草体が突入対象とする条間を検出するように撮像手段を配置すると、分草体の直前の左右２点の茎稈株、あるいはその直近の茎稈株が検出対象であり、茎稈を条列として認識することができないが、本発明によれば、茎稈やその刈り跡を条列として認識することにより、機体進行方向が茎稈列の方向に沿っているか否かを確認することで有効な操向操作を行うことができる。
そして、撮像手段を刈取引き起こし装置よりも後方の走行機体の固定部に設けることで、撮像手段の配設位置を対地的に比較的高く位置設定できるので、作業中の泥土の付着などを避けるに効果的であり、また、撮像手段よりも前方で茎稈や雑草が刈り取られるので、これらとの接触で撮像手段に泥土や塵埃が付着することによる外乱の発生を抑止するにも有効である。
【０００９】
〔解決手段２〕
また、本発明では、請求項１記載のコンバインにおいて、請求項２に示すように、操縦部に運転キャビンを備え、右前方撮像手段を運転キャビンの右横側部に配置した構成を採用するとよい。
【００１０】
〔解決手段２にかかる発明の作用及び効果〕
上記構成によると、請求項１にかかる発明の作用効果に加えて、次の作用効果を奏する。
すなわち、撮像手段を走行機体側に配置した場合、走行装置との干渉を避けるためなどから必然的にある程度高い位置になる。このため、例えば機体前方側で左右方向の中央付近から前方を撮影するように撮像手段を設けた場合などには、分草体の直前の茎稈を撮影することはできても、茎稈群を前後方向の条列として認識できるように撮影することは困難である。
これに対して本発明では、右前方撮像手段を運転キャビンの右横側部に配置したものであるから、走行機体の右前方箇所に配備されている運転座席に搭座した操縦者が肉眼で目視する場合よりも、さらに右側に寄った箇所に視点をおいた状態で前方の茎稈列を視認することが可能となる。
したがって、たとえば茎稈が右側へ倒れぎみで、運転座席に搭座する操縦者からは茎稈列の株元が見難い状況であっても、より右側に設置される右前方撮像手段からは茎稈の株元の条列、及び、それに隣接する刈り跡の条列を視認し易い条件で刈取作業を行うことが可能である。
【００１１】
〔解決手段３〕
また、本発明では、請求項１または２記載のコンバインにおいて、請求項３に示すように、右前方撮像手段を、方向指示器の取付部に一体的に取り付けてもよい。
【００１２】
〔解決手段３にかかる発明の作用及び効果〕
上記構成によると、請求項１及び２にかかる発明の作用効果に加えて、次の作用効果を奏する。
すなわち、走行機体の最も右側に位置して機体前方箇所に設けられている方向指示器と一体的に右前方撮像手段を設けることで、方向指示器の取付構造を右前方撮像手段の取付構造に有効利用して、構成の簡素化を図り得る利点がある。
【発明を実施するための最良の形態】
【００１３】
〔コンバインの全体構成〕
以下に本発明の実施の形態の一例を図面の記載に基づいて説明する。
図１、図２に示すように、コンバインは、左右一対のクローラ走行装置１Ｒ，１Ｌの上部に設けた機体２の前部に、刈取昇降シリンダＣによって横軸芯Ｘ周りで上下揺動操作自在な状態で刈取前処理部３が備えられ、機体２には、操縦部としての運転キャビン４、刈取穀稈を脱穀・選別する脱穀部５、脱穀部５から供給される穀粒を貯留する穀粒貯留用のタンク６、このタンク６に貯留されている穀粒を排出させる穀粒排出用のオーガ７、前記脱穀部５で処理された排ワラを結束または切断して放出する排ワラ処理装置８等を備えて構成されている。
【００１４】
刈取前処理部３は、先端部に付設された複数の分草具３２、倒伏した穀稈を立姿勢に引き起こす複数の引き起こし枠３３、引き起こした穀稈の株元を切断する刈り刃３４、で構成される刈取引き起こし装置３０と、先端側で刈取穀稈を受け取って脱穀部５のフィードチェーン５２に受け渡す縦搬送装置３１とを備えている。
そして、刈取前処理部３は、前述のように刈取昇降シリンダＣによって横軸芯Ｘ周りで上下揺動操作自在に構成されているとともに、左右方向でも、図３に示すように引き起こし枠３３及び刈り刃３４の位置を、実線で示す回り刈り用の第１作用位置と、仮想線で示す中割刈り用の第２作用位置とに、位置変更自在に構成されている。引き起こし枠３３及び刈り刃３４の左右位置変更のための具体構造は既に周知であり、ここではその具体的な構造の説明は省略する。
【００１５】
脱穀部５は、図１，２に示すように、刈取穀稈を扱き処理する扱胴５１を扱室に内装し、刈取前処理部３から供給される穀稈を搬送するフィードチェーン５２を備えている。そして、扱室内で扱処理された処理物は、図示しないが、扱室の下部に設けられた受網から選別装置上に漏下し、選別処理された後に穀粒タンク６に移送される。扱き処理後の排ワラは、フィードチェーン５２の後端から排ワラ処理装置８に送られて、結束または切断処理された後に機体後端から排出されるように構成されている。
【００１６】
〔運転キャビン〕
図１乃至図５に示すように、機体２の右側前部には操縦部としての運転キャビン４が搭載設置されている。
この運転キャビン４は、図４及び図５に示すように、乗降用の開閉扉４０Ａが設けられた右側壁４０と、運転キャビン４の内部に配備された操縦パネル４Ａの前方側の前壁４１と、座席後方の後壁４３と、左側壁４２とで平面視矩形状のキャビン室内空間が形成され、キャビン室内の中央部に設置された運転座席４４に搭座した操縦者が、前後左右を見渡せるように夫々の壁面４０〜４４にガラス窓４０ａ，４１ａ，４２ａ，４３ａ，４４ａが設けてある。
天井部４５の内面は、運転座席４４に搭座した操縦者の頭頂部より少し高い程度に設定され、天井壁４５の内面壁４５ａと屋根壁４５ｂとの間に空調装置４６を配備してある。
【００１７】
運転キャビン４の右側壁４０に設けられる乗降用の開閉扉４０Ａは、後方側のヒンジ４Ｂで前側を揺動開閉自在に構成されている。開閉扉４０Ａよりも前方の右側壁４０の外面側には、手摺り４Ｃと、方向指示器４Ｄと、後述する右前方撮像手段１１が装備されている。
運転キャビン４の前壁４１の上部側を構成する前面ガラス窓４１ａは、前傾姿勢に配設してあって、図４，５に示すように外面側にワイパー４７のアーム部４７ａが、内面側にワイパー駆動機構４７ｂが夫々配備されている。ワイパー駆動機構４７ｂは運転座席４４に搭座する操縦者の頭部よりも左側方に寄せて、操縦者の直前の視界から外れるように配置してあり、ワイパー４７のアーム部４７ｂの停止位置は、図５に示すように前方を見る操縦者の目線よりも上側で停止するように構成されている。
【００１８】
〔後方監視装置〕
図１，２、及び図６に示すように、機体後部の排ワラ処理装置８の後部上端位置には、機体の後方下方を撮影する監視カメラからなる後方撮像手段９が配設され、前記運転キャビン４内には、前記図３〜図５に示すように表示装置１０が配設されている。
この後方撮像手段９と、前記表示装置１０と、前記後方撮像手段９で撮影された撮像情報を運転キャビン４内の表示装置１０に表示される画像データとして出力するように、マイクロコンピュータを利用して構成された制御装置１２とで、後方監視装置が構成されている。
【００１９】
前記後方撮像手段９は、図６に示すように、機体後方位置の排ワラ処理装置８の後端上方のカバー部材８０に取付ブラケット８０ａを介して装着した監視カメラ９０で構成されており、結束装置８１の上方側で排ワラ放出口８２の近く、及び、その下方側で、排ワラ細断装置８３の後端側に設けられているカッターシュート８４の後面とを含めて機体の後方下方を撮影できるように撮像範囲を定めて配設してある。
したがって、撮像手段では、コンバインによる刈取脱穀作業中では、排ワラ放出口８２から放出される排ワラの排出状況と、放出された後の排ワラ束の落下位置などの情報となる画像が撮影され、刈取脱穀が行われていない機体後進時などには、機体後方側の障害物や地形などの情報となる画像が撮影される。
後方撮像手段９を構成する監視カメラ９０の上部側は日除けカバー９１で覆われており、強い日射しの影響を受け難くするように工夫されている。
【００２０】
前記表示装置１０は、前記撮像手段で撮影された撮像情報を表示するものであり、図４及び図５に示すように、前記後方撮像手段９で撮影された撮像情報を表示するモニタ画面部分を、運転キャビン４の天井壁４５に埋め込み状態で配設してある。
この場合、表示装置１０のモニタ画面は、天井壁４５の厚みを必要以上に厚くしないことと、目視し易い画面の表示面積を確保し易くするために、緩やかな前下がりの傾斜姿勢で配設するとよい。このように天井側に表示装置１０を埋め込み配置すると、運転キャビン４の室内空間をより広く利用できる利点がある。
【００２１】
〔右前方撮像手段〕
図２乃至図５に示すように、運転キャビン４の右横側部には、機体進行方向の前方側を撮影するためのカメラで構成される右前方撮像手段１１が設けられている。
この右前方撮像手段１１が設けられる位置は、上下方向では走行装置との干渉が避けられる程度の低い位置から、運転座席４４に搭座する操縦者の視点の位置程度の、広範囲にわたって任意の位置に設置することが可能であるが、好ましくは、図３，４及び図５に示すように、運転キャビン４の床面よりも上側で前面ガラス窓４１ａの下縁よりも下方である程度の高さに設定しておくとよい。このような高さに設定しておくと、右前方撮像手段１１に対する泥土など他物の付着を避けるに好適であるとともに、カメラの視点高さも比較的低く、上方から見る場合よりも茎稈条列の倒れ状況の視認等が行い易い。
また、この範囲の高さ位置には、前述のように方向指示器４Ｄが付設されており、本発明では、この方向指示器４Ｄの取付構造を利用して、方向指示器４Ｄと一体的に右前方撮像手段１１が取り付けられている。
【００２２】
また、左右方向では、図２，３に示すように、運転キャビン４の右横側部に配設されているが、この左右方向位置に関しては、必ずしもこの位置に限らず、例えば図３に仮想線で図示したように、運転キャビン４の前壁４１で少し機体内方側へ入り込んだ部位に配設してもよい。
すなわち、運転座席４４に搭座する操縦者の視点の位置よりも右側に寄せて配置されていれば、目視による場合よりも茎稈を条列として認識し易いという一応の目的を達成し得るが、より好ましくは、図３に示すように、刈取前処理装置３が実線で示す回り刈り作業位置にある状態で、その最も右側の茎稈引き起こし経路３３ａの中間位置（図中の線分ｙの位置）に相当する箇所よりも右側に設けておくようにするとよい。この位置に右前方撮像手段１１を配設すると、回り刈り作業中に右前方撮像手段１１が茎稈列よりも常に右側に位置する状態となり易いので、右端の茎稈を条列として認識し易くなる。
【００２３】
参考までに、運転キャビン４の右横側部に右前方撮像手段１１を配備した場合の撮像範囲の一例を図２に示している。
図中の○印が未刈り茎稈株の列であり、×印の列が既刈りの株跡を示す。図中に二点鎖線で示した角度範囲が平面視での右前方撮像手段１１の撮像範囲を示し、右前方撮像手段１１の中心線１１ｃは、機体進行方向と同方向に向けてもよいが、この例では少し機体中心側に向けてある。このように最も未刈り側の茎稈列の直前もしくは少し右側に寄った位置に、視点となる右前方撮像手段１１をおいて撮影するものであるから、未刈り茎稈の株元を列状に認識し易い状態で撮影することが可能となる。
【００２４】
〔吐出箇所撮像手段〕
図１，２に示すように、穀粒貯留用のタンク６に貯留されている穀粒を吐出する穀粒排出用のオーガ７の先端部には、穀粒吐出箇所を撮影するカメラで構成される吐出箇所撮像手段７０が設けられており、この吐出箇所撮像手段７０による穀粒吐出対象箇所の撮像情報も、運転キャビン４内の前記表示装置１０で表示できるように構成してある。
【００２５】
〔関連構成〕
図７に示すように、後方撮像手段９、右前方撮像手段１１、吐出箇所撮像手段７０の夫々で撮影された撮像情報は、マイクロコンピュータで構成された制御装置１２に入力され、何れかの撮像手段による情報が選択されて、表示装置１０に画像データとして出力され、表示装置１０に表示される。
前記制御装置１２の入力部には、走行変速系に組み込まれている静油圧式無段変速装置（図外）の操作位置が前進操作域であるか、後進操作域であるかを変速操作レバー１３の操作位置に基づいて検出する前後進検出センサ１３Ａからの検出信号と、刈取前処理装置３の昇降操作を行うための昇降操作スイッチ１４からの操作信号と、オーガ操作スイッチ１５による穀粒搬送用オーガの駆動のＯＮ／ＯＦＦ、昇降操作、及び左右旋回操作、などの操作指令信号とが入力されるように接続されている。さらに、この制御装置１２には、人為操作で前記表示装置１０による表示形態を切り換えるための表示状態切換スイッチ１６が接続されている。この表示状態切換スイッチ１６は、図７に示すようにダイヤル式のスイッチによって、「自動」、「後方」、「オーガ」、「ＯＦＦ」の４位置に切換自在に構成され、後述する図８のフローチャートに示す如く切換信号を出力するように構成されている。
また制御装置１２には、刈取前処理装置３の刈取昇降シリンダＣを作動させる刈取昇降シリンダ駆動装置Ｃ１に対して昇降指令を出力するシリンダ昇降操作手段１２０と、オーガ駆動装置１５０に対して作動指令を出力するオーガ制御手段１２１と、前記表示装置１０に対して制御指令を出力する表示切換手段１２２とが、制御プログラムとして記憶格納されている。
【００２６】
前記シリンダ昇降操作手段１２０は、昇降操作スイッチ１４から入力された操作信号に基づいて刈取昇降シリンダＣを駆動する刈取昇降シリンダ駆動装置Ｃ１に制御指令を出力するように構成されている。
前記オーガ制御手段１２１は、前記オーガ操作スイッチ１５から入力された昇降操作信号、及び左右旋回操作信号に基づいて、オーガ駆動装置１５０に制御指令を出力するように構成されている。
前記表示切換手段１２２は、前記昇降操作スイッチ１４や前後進検出センサ１３Ａからの検出信号に基づいて前記表示装置１０に出力すべき撮像情報を選択するように構成されたものである。
【００２７】
前記表示装置１０は、前記後方撮像手段９、右前方撮像手段１１、吐出箇所撮像手段７０の夫々で撮影された撮像情報を、図８のフローチャートに示すように、次の如く選択すべく構成されている。
［１］  ４位置切換自在な表示状態切換スイッチ１６が「自動」の位置である（ステップ＃１）と、刈取前処理装置３の昇降操作スイッチ１４が「下げ」の作業位置にあり（ステップ＃４）、かつ、前後進検出センサ１３Ａが「前進」を検出した状態であるとき（ステップ＃５）に、表示装置１０は右前方撮像手段１１の撮像情報を表示する（ステップ＃６）。
［２］  上記のステップ＃５の状態から前後進検出センサ１３Ａが「後進」を検出すると、表示装置１０は後方撮像手段９の撮像情報を表示する（ステップ＃７）。
［３］  ４位置切換自在な表示状態切換スイッチ１６が「自動」の位置（ステップ＃１）で、刈取前処理装置３の昇降操作スイッチ１４が「上げ」の非作業位置である（ステップ＃４）と、前後進検出センサ１３Ａの検出状態の如何に拘わらず表示装置１０は後方撮像手段９の撮像情報を表示する（ステップ＃７）。
［４］  ４位置切換自在な表示状態切換スイッチ１６が「後方」の位置（ステップ＃２）であると、昇降操作スイッチ１４の操作位置や、前後進検出センサ１３Ａの検出状態の如何に拘わらず表示装置１０は後方撮像手段９の撮像情報を表示する（ステップ＃７）。
［５］  ４位置切換自在な表示状態切換スイッチ１６が「オーガ」の位置（ステップ＃３）であると、昇降操作スイッチ１４の操作位置や、前後進検出センサ１３Ａの検出状態の如何に拘わらず表示装置１０は吐出箇所撮像手段７０の撮像情報を表示する（ステップ＃８）。
［６］  ４位置切換自在な表示状態切換スイッチ１６が「ＯＦＦ」の位置であると、昇降操作スイッチ１４の操作位置や、前後進検出センサ１３Ａの検出状態の如何に拘わらず表示装置１０は非表示となる（ステップ＃９）。
【００２８】
〔他の実施形態〕
上記の発明を実施するための最良の形態では、操縦部として運転キャビン４を備えた構造を示したが、これに限らず、運転キャビン４無しで、例えば操縦塔の右横側部に右前方撮像手段１１を配設し、表示装置１０を操縦パネル部分に配設するなどして実施することができる。
この場合においても、右前方撮像手段１１の配設位置は、上下方向においては、操縦パネル、あるいは運転座席４４の搭座面よりも下側で、操縦部フロアーよりも上側に相当する範囲に、かつ左右方向においては、前述の発明を実施するための最良の形態と同様に設定するのが望ましい。
【図面の簡単な説明】
【００２９】
【図１】コンバイン全体の側面図
【図２】コンバイン全体の平面図
【図３】コンバイン全体の正面図
【図４】運転キャビンの正面図
【図５】運転キャビンの右側面図
【図６】後方撮像手段の取付箇所を示す側面図
【図７】制御系を示すブロック図
【図８】表示装置の切換形態を示すフローチャート
【符号の説明】
【００３０】
３                          刈取前処理部
４                          運転キャビン
８                          排ワラ処理装置
９                          後方撮像手段
１０                        表示装置
１１                        右前方撮像手段
１２                        制御装置
１６                        表示状態切換スイッチ
３０                        刈取引き起こし装置
３１                        縦搬送装置
４０                        右側壁
４１                        前壁
４２                        左側壁
４３                        後壁
４４                        運転座席
４５                        天井部
【図１】
2008000089.tif 000003
【図２】
2008000089.tif 000004
【図３】
2008000089.tif 000005
【図４】
2008000089.tif 000006
【図５】
2008000089.tif 000007
【図６】
2008000089.tif 000008
【図７】
2008000089.tif 000009
【図８】
2008000089.tif 000010